(57)【要約】【課題】1セグ放送の視聴機能をもつ携帯通信端末において、1セグ放送の視聴が中断された場合に生じる問題を解決し、省電力化と、1セグ放送視聴への迅速な復帰とを両立させる。【解決手段】１セグ放送視聴を中断する場合に、ＣＰＵ２８に搭載されるリソース制御部１は、受信部用リソース取得部２，データ処理部用リソース取得部３，ＴＳ処理部用リソース取得部４，信号処理部用リソース取得部５の各々を個別に管理し、１セグ放送視聴用のハードウエアリソース１８〜２４の各々を、時間経過と共に、段階的に解放する。【選択図】図１
2007104490.tif 000002
【特許請求の範囲】
【請求項１】
地上波デジタル放送の視聴機能を実現するために必要な第１のハードウエアリソース、ならびに、前記地上波デジタル放送の視聴機能以外の携帯通信機能を実現するために必要な第２のハードウエアリソースと、
前記第１および第２のハードウエアリソースの獲得／解放を管理すると共に、前記地上デジタル放送の視聴途中にその視聴を中断する場合に、前記第１のハードウエアリソース全部を一括して解放せず、時間経過と共に複数段階に分けて解放していくリソース制御部と、
を有することを特徴とする携帯通信端末。
【請求項２】
請求項１記載の携帯通信端末であって、
前記リソース制御部は、前記地上デジタル放送の視聴途中にその視聴を中断する場合に、まず、前記第１および前記第２のハードウエアリソースに共通するハードウエアのみを解放し、残余の前記第１のハードウエアは、従前の動作を継続することを特徴とする携帯通信端末。
【請求項３】
請求項２記載の携帯通信端末であって、
前記リソース制御部は、前記第１および前記第２のハードウエアリソースに共通するハードウエアのみを解放した後、所定時間経過後に、残余の前記第１のハードウエアの全部または一部を解放することを特徴とする携帯通信端末。
【請求項４】
請求項３記載の携帯通信端末であって、
前記リソース制御部は、前記第１および前記第２のハードウエアリソースに共通するハードウエアのみを解放した後、残余の前記第１のハードウエアを、所定時間経過毎に部分的に解放していくことを特徴とする携帯通信端末。
【請求項５】
請求項３または請求項４記載の携帯通信端末であって、
前記所定時間が経過したことをタイマにより検出することを特徴とする携帯通信端末。
【請求項６】
請求項１〜請求項５のいずれか記載の携帯通信端末であって、
前記リソース制御部は、前記所定時間が経過する前に前記地上波デジタル放送の中断が解除されると、その時点で解放されている前記第１のハードウエアリソースの獲得処理を実施することを特徴とする携帯通信端末。
【請求項７】
請求項２記載の携帯通信端末であって、
前記第１のハードウエア資源は、フレーム引き込み処理を実施する地上波デジタル放送受信部と、トランスポートストリーム（ＴＳ）引き込み処理を実施するＴＳ処理部と、ＰＳＩ（プログラム特定情報）／ＳＩ（サービス情報）解析を実施するデータ処理部と、デコード処理を実施する信号処理部と、を有し、また、前記第１および第２のハードウエアリソースに共通するハードウエアは、前記信号処理部であることを特徴とする携帯通信端末。
【請求項８】
請求項７記載の携帯通信端末であって、
前記リソース制御部は、前記第１のハードウエアリソースを解放する際、前記信号処理部を解放した後、時間経過と共に、前記ＴＳ処理部、データ処理部、地上波デジタル放送受信部の順に、段階的に解放することを特徴する携帯通信端末。
【発明の詳細な説明】
【技術分野】
【０００１】
本発明は、地上波デジタル放送（１セグ放送）の視聴機能をもつ携帯通信端末に関する。
【背景技術】
【０００２】
現在、携帯端末向けの地上波デジタル放送（１セグ放送）を受信可能な携帯電話端末の開発が進められている（例えば、特許文献１参照）。
【０００３】
すなわち、我国においては、２００３年１２月１日から地上波デジタル放送が開始されたが、２００５年度末までには、携帯電話などの携帯端末（モバイル）向けの１セグメント放送（１セグ放送）が開始される予定である。以下、簡単に、我国の１セグ放送の伝送方式について説明する。
【０００４】
図５は、我国の1セグ放送における階層伝送方式について説明するための図である。
【０００５】
我国の地上波デジタル放送では、ＩＳＤＢ−Ｔ方式が採用されている。すなわち、図５の放送局２９０から放送される６ＭＨｚの帯域（従来のアナログ放送の１チャンネルに相当）は、１３個のサブバンドに分割されて運用されるのが特徴である。ここで、各サブバンドはセグメントと呼ばれる。
【０００６】
例えば、１２セグメント全部を利用して、家屋３００内に設置されるＨＤＴＶ３０４用の高品質なＨＤ（ハイディフィニション）伝送を実施することができる。また、４セグメントを利用して、ＳＤテレビ３０２用のＳＤ（スタンダードディフィニション）放送を３番組提供する、といったこともでき、柔軟な番組編成が可能となっている。
【０００７】
また、１３セグメントのうちの１セグメントは、移動体放送向けに予約されており、この１セグメントを使用して、携帯電話端末やＰＤＡ向けの簡易動画放送などを提供するのが１セグメント放送（１セグ放送）である。
【０００８】
１セグ放送を携帯端末にて受信するためには、ＭＰＥＧで圧縮・多重されたトランスポートストリーム（ＴＳ）を受信し、そのトランスポートストリーム（ＴＳ）を解析し、所望のデータを選択的に取得し、メディアデータを再生する機能が必要である。また、所定番組の視聴予約を行う機能やメディアデータを録画する機能も必要となる場合がある。
【０００９】
【特許文献１】特開２００４−３３６４８１号公報
【発明の開示】
【発明が解決しようとする課題】
【００１０】
１セグ放送の視聴のためには、上記のとおり、無線受信、フレーム同期、TSパケット同期、受信したトランスポートストリーム（ＴＳ）の解析処理、必要なデータの選別、取得、デコード処理等が必要であり、無線同期獲得から視聴開始までには、所定時間が必要である、という事情がある。
【００１１】
一方、１セグ放送受信のための処理の多くは、地上波デジタル放送の視聴機能を実現するための専用のハードウエアにより実施され、この専用のハードウエアは高度な機能を実現する複雑な回路からなり、かつ、かなりの電力を消費する。したがって、１セグ放送の視聴機能を付加することは、小型化・軽量化・低消費電力化が厳しく求められる携帯電話端末にとっては負担が大きく、コスト高の一因ともなる、という事情もある。
【００１２】
その一方で、使い勝手が悪いと、気まぐれなユーザは、地上波デジタル放送に対する興味をすぐに失ってしまうことも懸念され、こうなると、せっかく付加した1セグ放送の視聴機能が無駄になり、かえって、小型、軽量、ローコスト、使い勝手が良いという携帯通信端末がもつ持ち味を減殺してしまう危険性もないとはいえない。
【００１３】
したがって、1セグ放送の視聴機能については、他の機能に弊害を与えないようにしつつ、良好な使い勝手が確保されるように、いろいろな使用形態や使用場面（シチュエーション）を想定して、十分な検討と対策が必要である。
【００１４】
ここで、携帯端末のユーザが、1セグ放送を視聴している途中で、その視聴が中断される場合について検討する。このような１セグ放送の視聴の中断は、例えば、視聴中に携帯端末に着信があった場合や、視聴中において、ユーザがテレビ番組表の確認を行う場合や、あるいは、テレビ番組の予約を行う場合等に起こり得る。なお、番組表の確認は、番組表をディスプレイに表示する動作であり、この動作は、地上波デジタル放送（１セグ放送）をリアルタイムで受信し、視聴するための動作とは別の動作であり、ユーザが番組表を確認している間は、1セグ放送の視聴のための動作は中断され得る（番組予約の場合も同様である）。
【００１５】
このとき、ＣＰＵ周辺におけるアプリケーションプログラムの切り替え（１セグ放送用のアプリケーションから他の機能用のアプリケーションへの切り替え）は、マルチタスクに対応したＯＳを使用すれば、特に問題なく行うことができる。
【００１６】
ただし、このアプリケーションの切り替えに同期して、無駄な電力消費を避けるために、使用されなくなった（その時点では動作させる必要がなくなった）１セグ放送視聴のためのハードウエアの動作も、一括して中断させてしまうと、フレームやトランスポートストリーム（ＴＳ）を受信するための同期情報や、ＴＳの内容の解析情報等の一切が失われてしまう。
【００１７】
この場合、視聴中断の後に１セグ放送の視聴に復帰するに際して、初期同期の獲得段階から受信処理を開始する必要があり、放送の視聴が可能となるまでに相当の時間を要してしまうことになる。これでは、ユーザの、放送を早期に視聴したいという要求を満足させることができない。
【００１８】
かといって、１セグ放送の視聴が中断している間も、従前どおり、その放送視聴のために必要なハードウエアを自律的に動作させておくと、その間も相当の電力が消費され、携帯電話端末のバッテリー寿命が短くなるという問題が生じる。
【００１９】
また、1セグ放送の視聴のために使用されるＤＳＰ（デジタルシグナルプロセッサ）等の信号処理部は、他の携帯電話機能を実現するためにも利用されるものであり、そのＤＳＰ等の信号処理部を、いつまでも、１セグ放送の視聴用に確保しておくと、他の携帯電話機能を実現することができないという問題（他の携帯電話機能が制限されるという問題）も生じ得る。
【００２０】
つまり、１セグ放送の視聴中断時に、放送視聴に係わるハードウエアの動作を止めて省電力化を実現することと、後に1セグ放送視聴に戻る場合の早期復帰の実現（あるいは、他の携帯電話機能が制限されるという問題）とは、相反する要請であり、両立が困難である。
【００２１】
そして、１セグ放送の視聴が一旦、中断された後に、携帯通信端末のユーザが、その1セグ放送の視聴に復帰するのか、もはや興味をなくして他の携帯電話機能を利用するのか（あるいは携帯電話端末の利用を止めるのか）は、予測不可能なのであり、したがって、地上波デジタル放送の視聴が中断されたときに、その放送視聴に係わるハードウエアの動作をどのように制御するかを、予め、単純に決めることができない。
【００２２】
このように、1セグ放送の視聴機能をもつ携帯通信端末を開発するに際し、1セグ放送の視聴が一旦、中断された場合に、その放送視聴に係わるハードウエアリソースをどのように管理するかは、極めて重要な問題である。
【００２３】
本発明は、このような考察に基づいてなされたものであり、その目的は、1セグ放送の視聴機能をもつ携帯通信端末において、1セグ放送の視聴が一旦、中断された場合に生じる問題を解決し、他の携帯電話機能に何らかの制限を生じさせることなく、無駄な電力消費の低減と、中断後に1セグ放送視聴に戻る場合の早期復帰の実現と、を両立させ、実用に耐える１セグ放送に対応した携帯通信端末を実現することにある。
【課題を解決するための手段】
【００２４】
本発明の携帯通信端末は、地上波デジタル放送の視聴機能を実現するために必要な第１のハードウエアリソース、ならびに、前記地上波デジタル放送の視聴機能以外の携帯通信機能を実現するために必要な第２のハードウエアリソースと、前記第１および第２のハードウエアリソースの獲得／解放を管理すると共に、前記地上デジタル放送の視聴途中にその視聴を中断する場合に、前記第１のハードウエアリソース全部を一括して解放せず、複数段階に分けて、時間経過と共に部分的に解放していくリソース制御部と、を有する。
【００２５】
地上波デジタル放送（１セグ放送）を視聴している最中においてその視聴が中断される場合（例えば、携帯電話の着信があった場合）に、1セグ放送用の第１のハードウエアリソースを一挙に解放してしまうと（つまり、１セグ放送視聴のための動作状態から離脱させてしまうと）、上記のとおり、フレーム同期、トランスポートストリーム（ＴＳ）同期、ＴＳに同期した内容解析情報等の全てが失われてしまい、次に、その1セグ放送視聴に復帰する際に、フレーム同期の獲得からはじめなければならず、1セグ放送の視聴が可能となるまでに大きな遅延が生じる。その一方、第１のハードウエアリソースの動作をいつまでも継続させておくと、無駄に電力を消費し、バッテリーが消耗してしまう。そこで、時間経過と共に、第１のハードウエアを段階的に解放していく方式を採用したものである。
【００２６】
本明細書では、ハードウエアリソースの解放とは、「基本的には、そのハードウエアで行われている処理を終了させること、つまり、その処理を担当しているアプリケーションの支配下から離脱させること」である。そして、その処理が終了したハードウエアの無駄な電力消費は禁止しなくてはならないため、通常、動作クロックの供給停止、低消費電力モード（待機モード）への移行、電源のオフ等の省電力化のための処置が通常、なされる。なお、本発明では、その省電力化の措置までを含めてリソースの解放、と称する場合がある。1セグ放送視聴が中断した直後は、ユーザが、その後に1セグ放送の視聴に復帰する意図があるか否かはまったくわからないが、時間経過と共に、ユーザの意図を推定することが可能となってくる。つまり、しばらく時間が経過しても1セグ放送の視聴に復帰しないのであれば、ユーザは、1セグ放送の視聴に興味がなくなった（可能性が高い）と判断することができ、したがって、この場合は、1セグ放送の視聴への素早い復帰よりも、電力消費を抑制する点を優先した方がよいことになる。逆に、1セグ放送の視聴の中断直後ならびに中断時点から時間があまり経過していない時間帯では、ユーザが1セグ放送の視聴に復帰する可能性が高いと考えるのが妥当であり（つまり、興味のあるコンテンツを視聴していたユーザは、中断後、早く放送視聴を再開したいと望むと考えられるため）、電力消費の抑制よりも、1セグ放送の視聴への素早い復帰を優先させた方がよい。
【００２７】
このような考察に基づき、中断当初は1セグ放送の視聴への素早い復帰を優先させて第１のハードウエアリソース（の全部または主要部）を動作状態に保つことに重点をおき、時間経過と共に、第１のハードウエアリソースを何段階かに分けて解放し、消費電力の削減を図る方式を採用したものである。つまり、部分的、段階的な解放であるため、復帰の際には、解放済みの部分だけを復帰（リソースの獲得）させればよく、素早い復帰が実現される。一方、時間が経過するにつれて、ハードウエアの解放が進展していき、省電力効果が高まり、そして、中断の後、相当の時間が経過しても１セグ放送の視聴に復帰しないのならば、その時点では、１セグ視聴に必要なハードウエアは全部、動作停止状態（１セグ放送のコンテンツの受信のために必要な動作がされない状態）となっており、無駄な電力消費はまったく生じない。これにより、携帯通信端末における省電力化の要請と、中断後に1セグ放送視聴に戻る場合の早期復帰の要請とのバランスをとり、両者を無理なく両立させることが可能となる。
【００２８】
また、本発明の携帯通信端末の一態様では、前記リソース制御部は、前記地上デジタル放送の視聴途中にその視聴を中断する場合に、まず、前記第１および前記第２のハードウエアリソースに共通するハードウエアのみを解放し、残余の前記第１のハードウエアは、従前どおりの動作を継続する。
【００２９】
本発明の、「第１のハードウエアリソースを何段階かに分けて解放していく方式」の現実的な態様を明確化したものである。すなわち、ＤＳＰ（デジタルシグナルプロセッサ）のような汎用性のある信号処理回路は、1セグ放送の視聴のためにも、あるいは、携帯電話による通話やＴＶ電話等の処理にも使用され、この場合には、第１のハードウエアリソースは、1セグ放送視聴のための処理のみを担当する専用リソース（チューナなど）と、他の機能のための処理も担当する共用リソース（ＤＳＰなど）に区分することができる。このような構成をもつ携帯通信端末において、上述した本発明のリソース管理を実施する際、少なくとも1セグ放送視聴の中断直後においては、他の機能の実現に必要な共用リソース（第１および第２のハードウエアリソースに共通するハードウエア）のみを解放し、専用のリソースは従前の動作を継続させることとした。この場合、消費電力の削減効果は得られないが、中断した1セグ放送の視聴が早期に再開される場合において、迅速な復帰が実現され、ユーザが長く待たされることがなくなり、1セグ放送視聴という観点からみたユーザの利便性が常に確保される。また、汎用性の高い信号処理部（ＤＳＰ）等は、テレビ視聴中断後、直ちに解放されるため、携帯端末の他の機能の実現に関して何らかの制限が生じることもない。
【００３０】
また、本発明の携帯通信端末の他の態様では、前記リソース制御部は、前記第１および前記第２のハードウエアリソースに共通するハードウエアのみを解放した後、所定時間経過後に、残余の前記第１のハードウエアの全部または一部を解放する。
【００３１】
上述した共通のハードウエアリソースを解放した後、所定時間経過後に、残余のハードウエアリソースの全部または一部を解放するようにしたものである。つまり、所定時間だけ経過しても、1セグ放送の視聴への復帰がない場合、復帰の可能性が低くなったとみなし、消費電力削減のために、専用ハードウエアリソースの全部または一部を解放するのであり、これによって、中断後に1セグ放送視聴に戻る場合の早期復帰の実現と、携帯通信端末における無駄な電力消費の低減と、を両立させることができる。
【００３２】
また、本発明の携帯通信端末の他の態様では、前記リソース制御部は、前記第１および前記第２のハードウエアリソースに共通するハードウエアのみを解放した後、残余の前記第１のハードウエアを、所定時間経過毎に部分的に解放していく。
【００３３】
1セグ放送の視聴が中断した後、時間の経過と共に、1セグ放送の視聴に復帰する可能性が低下すると考えられるため、所定時間の経過毎に、段階的に、第１のハードウエアを徐々に解放していくものである。第１のハードウエアが部分的に解放された後に1セグ放送の視聴に復帰する場合でも、フレーム同期やトランスポートストリーム（ＴＳ）同期、あるいはＴＳに同期した内容解析情報等の全てが失われているわけではないため、早期の復帰が可能であり、一方、ハードウエアの解放部分が増えていくにしたがって省電力効果が高まっていくことになり、したがって、早期復帰と省電力という、相反する要請を合理的に調整し、最適なリソース管理を実現することができる。
【００３４】
また、本発明の携帯通信端末の他の態様では、前記所定時間の経過をタイマにより検出する。
【００３５】
例えば、所定時間の経過の検出が必要となるタイミング毎にタイマを起動し、所定時間の経過を正確に計測するものである。この「所定時間」は、予め定められている一定の時間であってもよく、また、動作状況等に応じて、その都度、適応的に定められる時間であってもよい。また、ユーザが、所定時間を設定してもよい。
【００３６】
また、本発明の携帯通信端末の他の態様では、前記リソース制御部は、前記所定時間が経過する前に前記地上波デジタル放送の中断が解除されると、その時点で解放されている前記第１のハードウエアリソースの獲得処理を実施する。
【００３７】
中断が解除され、1セグ放送の視聴が再開される場合に、リソース制御部は、先に解放したリソースを（一括して、あるいは順次）獲得し、1セグ放送の視聴が可能な状態を実現するものである。
【００３８】
また、本発明の携帯通信端末の他の態様では、前記第１のハードウエア資源は、フレーム引き込み処理を実施する地上波デジタル放送受信部と、トランスポートストリーム（ＴＳ）引き込み処理を実施するデータ処理部と、ＰＳＩ（プログラム特定情報）／ＳＩ（サービス情報）解析を実施するＴＳ処理部と、デコード処理を実施する信号処理部と、を有し、また、前記第１および第２のハードウエアリソースに共通するハードウエアは、前記信号処理部である。
【００３９】
フレーム引き込み処理、ＴＳ引き込み処理、ＰＳＩ／ＳＩ解析処理やＩＤＲ待ち処理（デコード処理の一種）は各々、該当処理を行う処理部の起動からその処理を終えるまでに、例えば、「１秒」、「２．５秒」、「２．５秒」、「２〜５秒」程度の処理時間を要する。したがって、これらの処理を最初から全部やり直しているのでは、1セグ放送の視聴が可能となるまでに相当の時間が必要となることから、各部分を段階的に解放するようにし、早期復帰の可能性を残しつつ、時間経過と共に、無駄な電力消費を抑制する効果を高めていくようにしたものである。これにより、実用に耐える１セグ放送に対応した携帯通信端末を実現することができる。
【００４０】
また、本発明の携帯通信端末の他の態様では、前記リソース制御部は、前記第１のハードウエアリソースを解放する際、前記信号処理部を解放した後、前記ＴＳ処理部、データ処理部、地上波デジタル放送受信部の順に、段階的に解放する。
【００４１】
第１のハードウエアを、信号処理の下流部分から上流部分に向けて、段階的に解放していく点を明らかとしたものである。信号処理の下流部分を解放しなくても、上流部分を解放すると結局のところ、その下流部分も含めて解放したことになり、これでは段階的な解放が実現できないため、段階的な解放処理においては、下流の回路の解放を優先することとしたものである。
【発明の効果】
【００４２】
本発明によれば、1セグ放送視聴の中断当初においては、1セグ放送の視聴への素早い復帰を優先させて第１のハードウエアリソース（の全部または主要部）を動作状態に保つことに重点をおき、時間経過と共に、電力消費の削減を優先させて第１のハードウエアリソースを何段階かに分けて解放していく方式を採用し、これによって、携帯通信端末における省電力化の要請と、中断後に1セグ放送視聴に戻る場合の早期復帰の要請とのバランスをとることができ、双方の要請を無理なく両立させることが可能となる。
【００４３】
また、上述した本発明のリソース管理を実施する際、少なくとも1セグ放送視聴の中断直後においては、他の機能の実現に必要な共用リソース（ＤＳＰ等）のみを解放し、他の専用リソースについては動作を継続させることにより、中断した1セグ放送の視聴が早期に再開される場合において迅速な復帰が実現され、ユーザが長く待たされることがなくなり、1セグ放送視聴という観点からみたユーザの利便性が常に確保することができる。また、汎用性ある共用リソースは、中断後、直ちに解放されるため、携帯端末の他の機能の実現に関して何らかの制限が生じることもない。
【００４４】
また、所定時間だけ経過しても、1セグ放送の視聴への復帰がない場合、復帰の可能性が低くなったとみなし、省電力化のために、専用ハードウエアリソースの全部または一部を解放することによって、中断後に1セグ放送視聴に戻る場合の早期復帰の実現と、携帯通信端末における無駄な電力消費の低減と、を両立させることができる。
【００４５】
また、定時間の経過毎に、段階的に、第１のハードウエアを徐々に解放していくリソース管理方式を採用することにより、早期復帰と省電力という、相反する要請を合理的に調整し、最適なリソース管理を実現することができる。
【００４６】
また、タイマを利用することによって、所定時間の経過を正確に検出することができる。タイマは、常時動作させておいてもよく、また、必要なタイミング毎に起動してもよく、柔軟な利用が可能である。また、所定時間は、予め定められている一定の時間であってもよく、動作状況等に応じて、その都度、適応的に定められる時間であってもよく、また、ユーザが設定することも可能である。
【００４７】
また、ハードウエアリソースの解放に際し、信号処理の下流の回路から上流の回路に向かって段階的に解放することにより、無理のない段階的な解放を実現することができる。
【００４８】
携帯通信端末に地上波デジタル放送の視聴機能を搭載して、フレーム引き込み処理、ＴＳ引き込み処理、ＰＳＩ／ＳＩ解析処理やＩＤＲ待ち処理（デコード処理の一種）などの一連の高度な処理を実行するのは、携帯通信端末のソフト／ハードの双方のリソースにとってかなりの負担となり、コスト上昇の一因ともなるが、その一方で、使い勝手が悪いと、気まぐれなユーザは、デジタル1セグ放送に対する興味をすぐに失ってしまうことも懸念され、こうなると、せっかく付加したテレビ視聴機能が無駄になり、かえって、小型、軽量、ローコスト、使い勝手が良いという携帯通信端末がもつ持ち味を減殺してしまう危険性もないとはいえない。しかし、本発明によれば、携帯通信端末のバッテリーの消耗は最小限に抑えられ、また、通常の携帯電話機能等には何ら制限を生じず、その上で、1セグ放送（１セグ放送）の快適な利用も確保される。
【００４９】
したがって、本発明によれば、1セグ放送の視聴が一旦、中断された場合に生じる問題を解決し、他の携帯電話機能に何らかの制限を生じさせることなく、無駄な電力消費の低減と、中断後に1セグ放送視聴に戻る場合の早期復帰の実現とを両立させ、実用に耐える１セグ放送に対応した携帯通信端末を実現することができる。
【発明を実施するための最良の形態】
【００５０】
次に、本発明の実施形態について、図面を参照して説明する。
【００５１】
（第１の実施形態）
図１は、本発明の携帯通信端末（ここでは、１セグ放送視聴機能を備える携帯電話端末とする）の主要なハードウエアリソースの構成の一例を示すブロック図である。
【００５２】
図示されるように、携帯電話端末は、無線アンテナＡＮと、携帯電話用送受信部１０と、データ処理部１２と、携帯電話用アプリケーション部１４と、表示部１６と、地上波デジタル放送受信部１８と、ＴＳ（トランスポートストリーム）処理部２０と、データ処理部２２と、信号処理部２４と、音声出力部２６と、ＣＰＵ２８（リソース制御部１と、受信部用リソース取得部２と、処理部用リソース取得部３と、データ処理部用リソース取得部４と、信号処理部用リソース取得部５と、を備える）と、番組予約部３０と、入力キー３２と、を有する。
【００５３】
これらの構成中、地上波デジタル放送受信部１８と、ＴＳ（トランスポートストリーム）処理部２０と、データ処理部２２と、は、１セグ放送視聴のための専用のハードウエアである。
【００５４】
また、携帯電話用送受信部１０と、データ処理部１２と、携帯電話用アプリケーション部１４と、は、1セグ放送視聴機能以外の携帯電話機能を実現するための専用のハードウエアである。
【００５５】
また、信号処理部２４は、例えば、ＤＳＰからなり、１セグ放送視聴のための処理（ＭＰＥＧ４や、動画圧縮の規格であるＨ．２６４等に準拠した符号化処理）を実施すると共に、他の携帯電話機能のための処理（音声通話処理、ＴＶ電話処理、メディアプレイヤ等によるデコード処理等）も実施する。つまり、信号処理部２４は、１セグ放送視聴系のハードウエアリソースと、その他の携帯電話機能系のハードウエアリソースの双方に属する共通のリソース（共用リソース）である。
【００５６】
ＣＰＵ２８は、マルチタスク対応のＯＳ（オペレーティングシステム）を介して入力される、複数のアプリケーション（不図示）からのリソース使用要求を受け付け、アプリケーションをダイナミックに切り替えることによって、異なる種類のアプリケーションを併行的に実施することができる。
【００５７】
また、ＣＰＵ２８に設けられるリソース制御部１は、特に、１セグ放送受信系のハードウエアリソースの解放／取得（獲得）を統括的に管理する。また、受信部用リソース取得部２，ＴＳ処理部用リソース取得部３，データ処理部用リソース取得部４ならびに信号処理部用リソース取得部５の各々は、リソース制御部１の管理下で、１セグ放送視聴用のハードウエアリソースの各々（１８〜２４）の解放／取得を個別に管理する。
【００５８】
ここで、ハードウエアリソースの解放とは、「基本的には、そのハードウエアで行われている処理を終了させること、つまり、その処理を担当しているアプリケーションの支配下から離脱させること」である。そして、その処理が終了したハードウエアの無駄な電力消費は禁止しなくてはならないため、通常、動作クロックの供給停止、低消費電力モード（待機モード）への移行、電源のオフ等の省電力化のための処置が通常、なされる。なお、本発明では、その省電力化の措置までを含めてリソースの解放、と称する場合がある。
【００５９】
また、「ハードウエアリソースの取得（獲得）」とは、解放状態にあるハードウエアを、１セグ放送を視聴するために必要な動作状態に復帰させること」である。なお、本発明では、省電力化の措置がなされたハードウエアへ動作用電力を供給する（省電力状態からの復帰）措置までを含めてリソースの取得と称する場合がある。
【００６０】
図１の携帯電話端末では、１セグ放送視聴機能系と、それ以外の携帯電話機能系の２つ系の系統のハードウエアが存在するが、原則として、通常の携帯電話機能の方が、１セグ放送視聴機能に優先する。つまり、１セグ放送の視聴時に、着呼、メール着信、アラーム呼び出し等があれば、ＣＰＵ２８は、１セグ放送の視聴用アプリケーションから、通常の携帯電話用のアプリケーションに切り替えて、着呼、メール着信等に対応した処理を優先的に処理する。この場合、１セグ放送の視聴は、中断（サスペンド）する。
【００６１】
また、１セグ放送の視聴の中断（サスペンド）は、１セグ放送の視聴中に、ユーザがレビ番組表の確認を行う場合や、あるいは、テレビ番組の予約を行う場合等にも起こり得る。つまり、番組表の確認は、番組表をディスプレイに表示する動作であり、この動作は、地上波デジタル放送（１セグ放送）をリアルタイムで受信し、視聴するための動作とは別の動作であり、ユーザが番組表を確認している間は、1セグ放送の視聴のための動作は中断され得る（番組予約の場合も同様である）。
【００６２】
この１セグ放送の中断が生じたときに、１セグ放送視聴のためのハードウエア（１８〜２２）の動作も、一括して中断させてしまうと、フレーム同期情報や、トランスポートストリーム（ＴＳ）を受信するための同期情報や、ＴＳの内容の解析情報等の一切が失われてしまう。これでは、中断の後、１セグ放送の視聴に復帰する（レジュームする）際に、初期同期の獲得段階から受信処理を開始する必要があり、放送の視聴が可能となるまでに相当の時間を要してしまうことになる。かといって、１セグ放送の視聴が中断している間も、従前どおり、その放送視聴のために必要なハードウエアを動作させておくと、その間も相当の電力が消費され、携帯電話端末のバッテリー寿命が短くなるという問題が生じる。
【００６３】
また、共用リソースである信号処理部２４を、いつまでも１セグ放送の視聴用に確保しておくと、他の携帯電話機能を実現することができないという問題（他の携帯電話機能が制限されるという問題）も生じ得る。
【００６４】
つまり、１セグ放送の視聴中断時に、放送視聴に係わるハードウエアの動作を止めて省電力化を実現することと、後に1セグ放送視聴に戻る場合の早期復帰の実現（あるいは、他の携帯電話機能が制限されるという問題）という、相反する要請が生じることになる。
【００６５】
そこで、図１の携帯電話端末では、１セグ放送視聴が中断する際、１セグ放送視聴系のハードウエアリソース（１８〜２４）を一挙に解放するのではなく、何段階かに分けて、時間経過と共に解放する方式を採用する。
【００６６】
つまり、図１のＣＰＵ２８内に設けられるリソース制御部１は、受信部用リソース取得部２，ＴＳ処理部用リソース取得部３，データ処理部用リソース取得部４，信号処理部用リソース取得部５を個別に制御し、時間経過と共に、信号処理の下流側（信号処理部２４）から信号処理の上流側（地上波デジタル放送受信部１８）に向かって、段階的に、リソースを解放していく。
【００６７】
また、ハードウエアリソースを段階的に解放している最中に、視聴の中断が解除されて、１セグ放送の視聴に復帰する（レジュームする）場合には、リソース制御部１は、受信部用リソース取得部２，ＴＳ処理部用リソース取得部３，データ処理部用リソース取得部４，信号処理部用リソース取得部５を個別に制御し、今度は、逆の方向に（あるいは、一括して）、解放済みのリソースの取得（獲得）を実施する。
【００６８】
このとき、全部のハードウエアが解放されているのではなく、部分的、段階的に解放されているに過ぎないため、解放済みの部分だけを復帰させればよく、素早い復帰が実現される。一方、時間が経過するにつれて、ハードウエアの解放が進展していき、省電力効果が高まる。
【００６９】
そして、中断の後、相当の時間が経過しても１セグ放送の視聴に復帰しないのならば、最終的には、１セグ視聴に必要なハードウエアは全部、動作停止状態（１セグ放送のコンテンツの受信のために必要な動作がされない状態）となり、無駄な電力消費はまったく生じない状態となる。
【００７０】
このようにして、携帯通信端末における省電力化の要請と、中断後に1セグ放送視聴に戻る場合の早期復帰の要請とのバランスをとり、両者を無理なく両立させることが可能となる。
【００７１】
本発明では、１セグ放送の視聴中断直後ならびに、それほど時間が経過しないうちは、迅速な復帰を優先させ、時間経過と共に、省電力化を優先させる、という管理をしている。これは、時間の経過と共に、中断後における、ユーザの１セグ放送視聴への復帰の可能性が低下すると考えられるからである。例えば、面白いテレビ番組を見ている最中に、着信があった場合、ユーザは、通話を早く打ち切ってテレビ視聴に早く復帰しようとするであろうし、番組確認や番組予約を行う場合も同様に、確認や予約が済めば、ユーザは、面白い番組の視聴にいち早く復帰しようとする、と考えられる。
【００７２】
逆に、相当の時間が経過しても１セグ放送の視聴に復帰しないときは、中断前に視聴していたコンテンツが面白くなかった、あるいは、ユーザが、もはや、そのコンテンツについての興味を失ってしまった、と考えることができる。
【００７３】
このような考察に基づき、本発明では、ハードウエアリソースを、段階的に徐々に解放していくという方式を採用し、１セグ放送の視聴中断直後ならびに、それほど時間が経過しない時間帯では、迅速な復帰を可能としておき、そして、時間経過と共に解放されるハードウエアが多くなっていくことによって、省電力化を優先させる、という、合理的かつ柔軟なハードウエアリソースの管理を実現している。
【００７４】
次に、１セグ放送視聴のために必要な主要な動作と手順、ならびに、ハードウエアリソースの解放と取得（獲得）の方向性やその具体的な態様について、説明する。
【００７５】
図２は、１セグ放送視聴のために必要な主要な動作と手順、ならびに、ハードウエアリソースの解放と取得（獲得）の方向性やその具体的な態様について説明するための図である。
【００７６】
図示されるように、１セグ放送の視聴（ＡＶデータの再生）のためには、地上波デジタル放送受信部１８によるフレーム引き込み（フレーム同期獲得処理：ステップＳ１００）と、ＴＳ処理部２０によるＴＳ引き込み処理（ステップＳ１０１）と、データ処理部２２によるＰＳＩ（プログラム特定情報）／ＳＩ（サービス情報）解析（ステップＳ１０２）、ＰＭＴ（プログラムマップテーブル）待ち処理（ステップＳ１０３）、ＩＤＲ待ち（即時デコーダリフレッシュ処理：フレーム間予測における参照メモリのクリア）処理（ステップＳ１０４）と、信号処理部２４におけるデコード処理（ステップＳ１０５）と、を実施する必要がある。
【００７７】
なお、ＩＤＲ待ち処理（ステップＳ１０４）は、信号処理部２４において実施される場合がある。
【００７８】
図２の左側に示される、信号処理の下流側から上流側に向かう矢印は、ハードウエアリソースの段階的解放の方向を示し、また“０”〜“３”の数字は、解放の優先順位を示している。また、図２の右側に示される、信号処理の上流側から下流側に向かう矢印は、ハードウエアリソースの段階的取得（獲得）の方向を示し、また“０”〜“３”の数字は、取得（解放）の優先順位を示している
【００７９】
先に説明したように、信号処理部２４は、１セグ放送視聴のための処理に用いられるだけではなく、他の携帯電話機能用の処理にも使用されるため、他の携帯電話機能のためのアプリケーション（例えば、音声通話処理用アプリ、ＴＶ電話処理アプリ、メディアプレイヤ等のＡＶデータの利用に関するアプリケーション）が起動されると、信号処理部２４は、１セグ放送視聴のためのアプリケーションから直ちに解放する必要がある。したがって、信号処理部２４は、解放の優先順位が最も高いことになる。
【００８０】
本発明のリソース管理を実施する際、少なくとも1セグ放送視聴の中断直後においては、他の機能の実現に必要な共用リソースである信号処理部２４のみを解放し、１セグ放送視聴専用のリソースは、それ以前に行っている処理を継続させる。この場合、消費電力の削減効果は得られないが、中断した1セグ放送の視聴が早期に再開される場合において、迅速な復帰が実現され、ユーザが長く待たされることがなくなり、1セグ放送視聴という観点からみたユーザの利便性が常に確保される。また、信号処理部等は、他の携帯電話機能からの要請があると、直ちに解放されるため、携帯端末の他の機能の実現に関して何らかの制限が生じることがない。
【００８１】
また、例えば、優先順位“１”のハードウエアを解放せずに、優先順位“２”のハードウエアを解放すると、実質的に優先順位“１”のハードウエアも含めて解放したことになる。同様に、優先順位“３”のハードウエアを解放すると、実質的に、優先順位“０”〜“３”のすべてのハードウエアを解放したことになる。したがって、どのハードウエアを解放するかによって、解放されるハードウエアの数を調整することができる。
【００８２】
ハードウエアの解放の態様としては、いろいろな態様が考えられる。ただし、ハードウエアリソースの解放に際し、図２の左側に示される優先順次に従って、信号処理の下流の回路から上流の回路に向かって、段階的に順次、解放することが基本であり、この場合、無理のない段階的な解放を実現することができる。
【００８３】
ただし、これに限定されるものではなく、例えば、優先順位“１”のハードウエアを解放した後、所定時間経過後に、優先順位“２”，“３”のハードウエアを同時に解放する、というような解放処理を実施してもよい。
【００８４】
また、タイマを利用して所定時間を計測し、その間に1セグ放送の視聴への復帰がない場合、復帰の可能性が極めて低くなったとみなし、省電力化のために、専用ハードウエアリソースの全部（または一部）をいっきに解放することもできる。
【００８５】
また、タイマによる一定時間の経過毎に、段階的に、ハードウエアを徐々に解放していくリソース管理方式を採用することもできる。
【００８６】
タイマは、常時動作させておいてもよく、また、必要なタイミング毎に起動してもよく、柔軟な利用が可能である。また、所定時間は、予め定められている一定の時間であってもよく、動作状況等に応じて、その都度、適応的に定められる時間であってもよく、また、ユーザが設定することも可能である。また、その所定時間は、学習効果によって、適宜、更新されるようにしてもよい。
【００８７】
次に、ハードウエアリソースの解放処理の具体的な手順について説明する。
【００８８】
図３は、ハードウエアリソースを段階的に解放する処理の手順の一例を示すフロー図である。なお、図３の処理の途中では、１セグ放送視聴への復帰の要請はないものとする。
【００８９】
１セグ放送の視聴中に（ステップＳ１０９）、例えば、携帯電話機能の呼び出しがあった場合（ステップＳ１１０）、まず、直ちに、デコード処理（図２のＳ１０５）を終了させて信号処理部２４を解放する（ステップＳ１１１）。このとき、地上波デジタル放送受信部１８，ＴＳ処理部２０，データ処理部２２における処理は、従前どおり、継続される。
【００９０】
次に、タイマが起動され、所定時間が設定される（ステップＳ１１２）。そして、携帯電話機能が呼び出されて会話処理が実施され（Ｓ１１３）、その間、先に設定したタイマが満了したかをチェックする（ステップＳ１１４）。
【００９１】
そして、タイマが満了すると（ステップＳ１１４）、データ処理部２２におけるＩＤＲＰＥＳ構築処理やＰＳＩ／ＳＩ解析処理（図２のＳ１０４，Ｓ１０２）を終了し、これにより、データ処理部２２が解放される（ステップＳ１１５ａ、Ｓ１１５ｂ）。
【００９２】
次に、再びタイマが起動され、所定時間が設定される（ステップＳ１１６）。そして、タイマが満了すると（ステップＳ１１７）、ＴＳ処理部２０におけるＴＳ引き込み処理（図２のＳ１０１）を終了し、これにより、ＴＳ処理部２０が解放される（ステップＳ１１８ａ、Ｓ１１８ｂ）。
【００９３】
次に、再びタイマが起動され、所定時間が設定される（ステップＳ１１９）。そして、タイマが満了すると（ステップＳ１２０）、地上波デジタル放送受信部１８におけるフレーム引き込み処理（図２のＳ１００）を終了し、これにより、地上波デジタル放送受信部１８が解放される（ステップＳ１２１ａ、Ｓ１２１ｂ）。
【００９４】
以上の処理を経て、全部のハードウエアリソースが解放された状態が実現される（Ｓ１２２）。
【００９５】
次に、ハードウエアリソースの取得（獲得）処理の具体的な手順について説明する。
【００９６】
図４は、ハードウエアリソースを段階的に取得（獲得）する処理の手順の一例を示すフロー図である。
【００９７】
１セグ放送の視聴が中断している状態（サスペンド中）において（ステップＳ１２９）、１セグ放送（地上波デジタル放送）の視聴再開（復帰）の要請があった場合（ステップＳ１３０）、まず、地上波デジタル放送受信部１８において、フレーム引き込み処理を実施中であるか否か（つまり、地上波デジタル放送受信部のリソース獲得中であるか否か）を判定し（ステップＳ１３１）、フレーム引き込み処理中であれば、ステップＳ１３３に進み、フレーム引き込み処理がなされていないのであれば、ステップ１３２に進む。
【００９８】
ステップ１３２ａ、Ｓ１３２ｂでは、フレーム引き込み処理（つまり、地上波デジタル放送受信部１８のリソースの獲得処理）が実施される。
【００９９】
次に、ＴＳ処理部２０において、ＴＳ引き込み処理中であるか（つまり、ＴＳ処理部２０のリソース獲得中であるか）を判定し（ステップＳ１３３）、そうであれば、ステップＳ１３５に進み、そうでなければ、ステップＳ１３４に進む。
【０１００】
ステップＳ１３４ａ、Ｓ１３４ｂでは、ＴＳ引き込み（つまり、ＴＳ処理部２０のリソース獲得）を開始する。
【０１０１】
続いて、データ処理部２２において、ＩＤＲ待ち中であるか否か（データ処理部２２のリソース獲得中であるか否か）を判定する（ステップＳ１３５）。ＩＤＲ待ち中であれば、ステップＳ１３７に進み、そうでなければ、ステップＳ１３６に進む。
【０１０２】
ステップＳ１３６ａ、Ｓ１３６ｂでは、データ処理部２２において、ＩＤＲならびにＰＳＩ／ＳＩ解析処理（つまり、データ処理部２２のリソース獲得）を開始する。ステップＳ１３７では、信号処理部２４のデコード（つまり、信号処理部２４のリソース獲得）が開始される。
【０１０３】
これらの一連の処理を経て、地上波デジタル放送（１セグ放送）の視聴が可能となる（ステップＳ１３８）。
【０１０４】
以上、本発明の実施形態について説明したが、本発明はこれに限定されるものではなく、本発明の趣旨を逸脱しない範囲で、種々変形、応用可能である。
【０１０５】
例えば、上記の実施形態では、他の携帯電話機能の実現にも利用される共用リソース（信号処理部）が存在するが、１セグ放送視聴用のハードウエアが完全に専用化されている場合には、共用リソースは存在しないため、共用リソースを第１に解放するという配慮は不要となる。
【０１０６】
また、１セグ放送の視聴を行っているときに、表示部１６上に、現在実施されている処理をわかりやすく表示するようにしてもよい。これにより、地上波デジタルテレビの視聴にかかる時間（待ち時間）をユーザに認知させることが可能となる。
【０１０７】
また、中断された１セグ放送の視聴が再開される場合に、解放されていたハードウエアリソースの獲得処理が実施されているとき、その処理が行われている旨をアイコン等を使用してユーザに通知することもできる。これにより、ユーザは、１セグ放送視聴のための何らかの処理が行われていること（あるいは、何らかの電力消費がなされていること、または、復帰時間が短縮されること）を認知することができる。
【０１０８】
また、地上波デジタルテレビの視聴中に信号処理部を解放するタイミングは、他の携帯電話機能が呼び出されたタイミングだけでなく、他の携帯電話機能が信号処理部を使用するタイミングであってもよい。
【０１０９】
また、ユーザが、リソース解放用のタイマの時間を設定するためのユーザインタフェースを、携帯電話端末に設けてもよい。これにより、ハードウエアリソース処理に関して、ユーザの意図を反映させることができる。
【０１１０】
以上説明したように本発明によれば、1セグ放送視聴の中断当初においては、1セグ放送の視聴への素早い復帰を優先させて第１のハードウエアリソース（の全部または主要部）を動作状態に保つことに重点をおき、時間経過と共に、電力消費の削減を優先させて第１のハードウエアリソースを何段階かに分けて解放していく方式を採用し、これによって、携帯通信端末における省電力化の要請と、中断後に1セグ放送視聴に戻る場合の早期復帰の要請とのバランスをとることができ、双方の要請を無理なく両立させることが可能となる。
【０１１１】
また、上述した本発明のリソース管理を実施する際、少なくとも1セグ放送視聴の中断直後においては、他の機能の実現に必要な共用リソース（ＤＳＰ等）のみを解放し、他の専用リソースについては動作を継続させることにより、中断した1セグ放送の視聴が早期に再開される場合において迅速な復帰が実現され、ユーザが長く待たされることがなくなり、1セグ放送視聴という観点からみたユーザの利便性が常に確保することができる。また、汎用性ある共用リソースは、中断後、直ちに解放されるため、携帯端末の他の機能の実現に関して何らかの制限が生じることもない。
【０１１２】
また、所定時間だけ経過しても、1セグ放送の視聴への復帰がない場合、復帰の可能性が低くなったとみなし、省電力化のために、専用ハードウエアリソースの全部または一部を解放することによって、中断後に1セグ放送視聴に戻る場合の早期復帰の実現と、携帯通信端末における無駄な電力消費の低減と、を両立させることができる。
【０１１３】
また、定時間の経過毎に、段階的に、第１のハードウエアを徐々に解放していくリソース管理方式を採用することにより、早期復帰と省電力という、相反する要請を合理的に調整し、最適なリソース管理を実現することができる。
【０１１４】
また、タイマを利用することによって、所定時間の経過を正確に検出することができる。タイマは、常時動作させておいてもよく、また、必要なタイミング毎に起動してもよく、柔軟な利用が可能である。また、所定時間は、予め定められている一定の時間であってもよく、動作状況等に応じて、その都度、適応的に定められる時間であってもよく、また、ユーザが設定することも可能である。
【０１１５】
また、ハードウエアリソースの解放に際し、信号処理の下流の回路から上流の回路に向かって段階的に解放することにより、無理のない段階的な解放を実現することができる。
【０１１６】
携帯通信端末に地上波デジタル放送の視聴機能を搭載して、フレーム引き込み処理、ＴＳ引き込み処理、ＰＳＩ／ＳＩ解析処理やＩＤＲ待ち処理（デコード処理の一種）などの一連の高度な処理を実行するのは、携帯通信端末のソフト／ハードの双方のリソースにとってかなりの負担となり、コスト上昇の一因ともなるが、その一方で、使い勝手が悪いと、気まぐれなユーザは、1セグ放送に対する興味をすぐに失ってしまうことも懸念され、こうなると、せっかく付加したテレビ視聴機能が無駄になり、かえって、小型、軽量、ローコスト、使い勝手が良いという携帯通信端末がもつ持ち味を減殺してしまう危険性もないとはいえない。しかし、本発明によれば、携帯通信端末のバッテリーの消耗は最小限に抑えられ、また、通常の携帯電話機能等には何ら制限を生じず、その上で、1セグ放送（１セグ放送）の快適な利用も確保される。
【０１１７】
したがって、本発明によれば、1セグ放送の視聴が一旦、中断された場合に生じる問題を解決し、他の携帯電話機能に何らかの制限を生じさせることなく、無駄な電力消費の低減と、中断後に1セグ放送視聴に戻る場合の早期復帰の実現とを両立させ、実用に耐える１セグ放送に対応した携帯通信端末を実現することができる。
【産業上の利用可能性】
【０１１８】
本発明は、1セグ放送の視聴が一旦、中断された場合に生じる問題を解決し、省電力と放送視聴への早期復帰を両立させるという効果を奏し、したがって、携帯端末向けの地上波デジタル放送用チューナを搭載した携帯通信端末（携帯電話端末、ＰＤＡ、携帯可能なパーソナルコンピュータ端末を含む）として有用である。
【図面の簡単な説明】
【０１１９】
【図１】本発明の携帯通信端末（ここでは、１セグ放送視聴機能を備える携帯電話端末とする）の主要なハードウエアリソースの構成の一例を示すブロック図
【図２】１セグ放送視聴のために必要な主要な動作と手順、ならびに、ハードウエアリソースの解放と取得（獲得）の方向性やその具体的な態様について説明するための図
【図３】ハードウエアリソースを段階的に解放する処理の手順の一例を示すフロー図
【図４】ハードウエアリソースを段階的に取得（獲得）する処理の手順の一例を示すフロー図
【図５】我国の1セグ放送における階層伝送方式について説明するための図
【符号の説明】
【０１２０】
ＡＮ  無線アンテナ
１  リソース制御部
２  受信部用リソース取得部
３  データ処理部用リソース取得部
４  ＴＳ処理部用リソース取得部
５  信号処理部用リソース取得部
１０  携帯電話用送受信部
１２  データ処理部
１４  携帯電話用アプリケーション部
１６  表示部
１８  地上波デジタル放送受信部
２０  ＴＳ（トランスポートストリーム）処理部
２２  データ処理部
２４  信号処理部
２６  音声出力部
２８  ＣＰＵ
３０  番組予約部
３２  入力キー
【図１】
2007104490.tif 000003
【図２】
2007104490.tif 000004
【図３】
2007104490.tif 000005
【図４】
2007104490.tif 000006
【図５】
2007104490.tif 000007